(57)【要約】      （修正有）【課題】各色毎に独立したガンマを用いても、データ駆動部から出力されるデータの順序に関係なく、ガンマが色に合わせて適用できるようにする有機電界発光表示装置及びその駆動方法を提供する。【解決手段】画素部の上部または下部に位置し、赤色、緑色及び青色の映像信号が伝達され、複数の出力チャネルでデータ信号を生成して出力するとともに、出力チャネルの番号順に従って、赤色データ信号、緑色データ信号及び青色データ信号が繰り返し出力されるデータ駆動部と、赤色映像信号に対応する赤色データ信号の電圧、緑色映像信号に対応する緑色データ信号の電圧、及び青色映像信号に対応する青色データ信号の電圧を決定するガンマ補正部と、データ駆動部の位置に対応して、赤色データ信号は赤色画素に伝達されるようにし、緑色データ信号は緑色画素に伝達されるようにし、青色データ信号は青色画素に伝達されるようにするガンマ変換部と、を備える。【選択図】図４
2010020310.tif 000002
【特許請求の範囲】
【請求項１】
赤色、緑色及び青色の画素を備え、データ信号及び走査信号に対応して、前記赤色、緑色及び青色の画素から光を発光する画素部と、
前記画素部の上部または下部に位置し、赤色、緑色及び青色の映像信号が伝達され、複数の出力チャネルでそれぞれ前記データ信号を生成して出力するとともに、前記データ信号は、前記複数の出力チャネルの番号順に従って、赤色データ信号、緑色データ信号及び青色データ信号が繰り返し出力されるデータ駆動部と、
前記走査信号を出力する走査駆動部と、
前記赤色映像信号に対応する前記赤色データ信号の電圧、前記緑色映像信号に対応する前記緑色データ信号の電圧、及び前記青色映像信号に対応する前記青色データ信号の電圧を決定するガンマ補正部と、
前記データ駆動部の位置に対応して、前記赤色データ信号は前記赤色画素に伝達されるようにし、前記緑色データ信号は前記緑色画素に伝達されるようにし、前記青色データ信号は前記青色画素に伝達されるようにするガンマ変換部とを備えることを特徴とする有機電界発光表示装置。
【請求項２】
前記ガンマ変換部は、
ソースがデータ信号を出力する第１出力チャネルに接続され、ドレインが第１データ線に接続され、ゲートがガンマ変換信号線に接続される第１トランジスタと、
ソースが前記第１出力チャネルに接続され、ドレインが第３データ線に接続され、ゲートが前記ガンマ変換信号線に接続される第２トランジスタと、
ソースがデータ信号を出力する第３出力チャネルに接続され、ドレインが前記第１データ線に接続され、ゲートが前記ガンマ変換信号線に接続される第３トランジスタと、
ソースが前記第３出力チャネルに接続され、ドレインが前記第３データ線に接続され、ゲートが前記ガンマ変換信号線に接続される第４トランジスタとを備え、
前記第１及び第３トランジスタと前記第２及び第４トランジスタは、互いに異なる時間にオン状態になることを特徴とする請求項１に記載の有機電界発光表示装置。
【請求項３】
前記ガンマ変換部は、前記データ駆動部の位置に対応して、前記第１及び第３トランジスタと前記第２及び第４トランジスタのオン／オフ状態を決定することを特徴とする請求項２に記載の有機電界発光表示装置。
【請求項４】
前記ガンマ変換部は、
ソースが前記データ信号を出力する第１出力チャネルに接続され、ドレインが第１ノードに接続され、ゲートが第１ガンマ変換信号線に接続される第１トランジスタと、
ソースが前記データ信号を出力する第３出力チャネルに接続され、ドレインが第２ノードに接続され、ゲートが前記第１ガンマ変換信号線に接続される第２トランジスタと、
ソースが前記第１ノードに接続され、ドレインが第１データ線に接続され、ゲートが第２ガンマ変換信号線に接続される第３トランジスタと、
ソースが前記第２ノードに接続され、ドレインが第３データ線に接続され、ゲートが前記第２ガンマ変換信号線に接続される第４トランジスタと、
ソースが前記第１ノードに接続され、ドレインが前記第２ノードに接続され、ゲートが第３ガンマ変換信号線に接続される第５トランジスタとを備えることを特徴とする請求項１に記載の有機電界発光表示装置。
【請求項５】
前記第１、第３及び第５トランジスタがＰＭＯＳトランジスタである場合、前記第２及び第４トランジスタはＮＭＯＳトランジスタであることを特徴とする請求項４に記載の有機電界発光表示装置。
【請求項６】
前記ガンマ変換部は、
前記データ駆動部の位置に対応して、前記第１、第３及び第５トランジスタと前記第２及び第４トランジスタのオン／オフ状態を決定することを特徴とする請求項５に記載の有機電界発光表示装置。
【請求項７】
前記ガンマ変換部は、
ソースがデータ信号を出力する第１出力チャネルに接続され、ドレインが第１データ線に接続され、ゲートが第２ガンマ変換信号線に接続される第１トランジスタと、
ソースが前記第１出力チャネルに接続され、ドレインが第３データ線に接続され、ゲートが第１ガンマ変換信号線に接続される第２トランジスタと、
ソースがデータ信号を出力する第３出力チャネルに接続され、ドレインが前記第１データ線に接続され、ゲートが前記第１ガンマ変換信号線に接続される第３トランジスタと、
ソースが前記第３出力チャネルに接続され、ドレインが前記第３データ線に接続され、ゲートが前記第２ガンマ変換信号線に接続される第４トランジスタとを備えることを特徴とする請求項１に記載の有機電界発光表示装置。
【請求項８】
前記第１及び第４トランジスタと前記第２及び第３トランジスタは、互いに異なる時間にオン状態になることを特徴とする請求項７に記載の有機電界発光表示装置。
【請求項９】
前記ガンマ変換部は、
前記データ駆動部の位置に対応して、前記第１及び第４トランジスタと前記第２及び第３トランジスタのオン／オフ状態を決定することを特徴とする請求項８に記載の有機電界発光表示装置。
【請求項１０】
有機電界発光表示装置の駆動方法において、
赤色、緑色及び青色の映像信号を用いて、赤色、緑色及び青色データ信号を生成するステップと、
データ駆動部とデータ線との接続関係に対応してデータ駆動部の出力チャネルの番号順に対応して、赤色、緑色及び青色データ信号の順に出力されるステップと、
前記生成されたデータ信号を、データ駆動部の出力チャネルの番号順に対応して、赤色ガンマ、緑色ガンマ及び青色ガンマを適用して出力するとともに、前記赤色ガンマの適用された前記データ信号は赤色画素に伝達され、前記緑色ガンマの適用された前記データ信号は緑色画素に伝達され、前記青色ガンマの適用されたデータ信号は青色画素に伝達されるステップとを含むことを特徴とする有機電界発光表示装置の駆動方法。
【請求項１１】
前記データ駆動部と前記データ線とは、前記データ駆動部が画素部の上部に位置するか前記画素部の下部に位置するかによって異なるように接続されることを特徴とする請求項１０に記載の有機電界発光表示装置の駆動方法。
【発明の詳細な説明】
【技術分野】
【０００１】
本発明は、有機電界発光表示装置及びその駆動方法に関し、より詳細には、赤色、緑色及び青色の色毎にガンマ補正を行う有機電界発光表示装置及びその駆動方法に関する。
【背景技術】
【０００２】
近年、陰極線管（Ｃａｔｈｏｄｅ  Ｒａｙ  Ｔｕｂｅ）の短所である重量及び体積を減らすことが可能な各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ）などがある。
【０００３】
前記平板表示装置のうち、有機電界発光表示装置は、色再現性の高さ及び薄い厚さなどの様々な利点により、応用分野において、携帯電話用のほか、ＰＤＡ、ＭＰ３プレーヤーなどへ市場が大きく拡大している。
【０００４】
有機電界発光表示装置は、入力される電流の量に対応して光の輝度が決定される有機発光ダイオード（Ｏｒｇａｎｉｃ  Ｌｉｇｈｔ  Ｅｍｉｔｔｉｎｇ  Ｄｉｏｄｅ：ＯＬＥＤ）を用いて画像を表示する。
【０００５】
有機発光ダイオードは、アノード電極とカソード電極との間に赤色、緑色または青色の発光層が位置し、アノード電極からカソード電極の間を流れる電流の量によって輝度が決定される。
【０００６】
このとき、赤色、緑色及び青色の発光層は、発光効率などにおいて差がある。そのため、赤色、緑色及び青色の画素には互いに異なるガンマが適用される。
【０００７】
このように異なるガンマを適用すると、データ駆動部の左側から右側に赤色、緑色及び青色のデータが出力される場合と、データ駆動部の右側から左側に赤色、緑色及び青色のデータが出力される場合とにおいて、緑色は同一のガンマが適用されるが、赤色と青色は異なるガンマが適用され、これにより、輝度が歪むという問題が発生する。
【先行技術文献】
【特許文献】
【０００８】
【特許文献１】大韓民国特許公開第２００６−００５８２２０号明細書
【発明の概要】
【発明が解決しようとする課題】
【０００９】
本発明の目的は、各色毎に独立したガンマを用いても、データ駆動部から出力されるデータの順序に関係なく、ガンマが色に合わせて適用できるようにする有機電界発光表示装置及びその駆動方法を提供することである。
【課題を解決するための手段】
【００１０】
上記の目的を達成するために、本発明の第１態様は、赤色、緑色及び青色の画素を備え、データ信号及び走査信号に対応して、前記赤色、緑色及び青色の画素から光を発光する画素部と、前記画素部の上部または下部に位置し、赤色、緑色及び青色の映像信号が伝達され、複数の出力チャネルでそれぞれ前記データ信号を生成して出力するとともに、前記データ信号は、前記複数の出力チャネルの番号順に従って、赤色データ信号、緑色データ信号及び青色データ信号が繰り返し出力されるデータ駆動部と、前記走査信号を出力する走査駆動部と、前記赤色映像信号に対応する前記赤色データ信号の電圧、前記緑色映像信号に対応する前記緑色データ信号の電圧、及び前記青色映像信号に対応する前記青色データ信号の電圧を決定するガンマ補正部と、前記データ駆動部の位置に対応して、前記赤色データ信号は前記赤色画素に伝達されるようにし、前記緑色データ信号は前記緑色画素に伝達されるようにし、前記青色データ信号は前記青色画素に伝達されるようにするガンマ変換部とを備える有機電界発光表示装置を提供するものである。
【００１１】
上記の目的を達成するために、本発明の第２態様は、有機電界発光表示装置の駆動方法において、赤色、緑色及び青色の映像信号を用いて、赤色、緑色及び青色データ信号を生成するステップと、データ駆動部とデータ線との接続関係に対応してデータ駆動部の出力チャネルの番号順に対応して、赤色、緑色及び青色データ信号の順に出力されるステップと、前記生成されたデータ信号を、データ駆動部の出力チャネルの番号順に対応して、赤色ガンマ、緑色ガンマ及び青色ガンマを適用して出力するとともに、前記赤色ガンマの適用された前記データ信号は赤色画素に伝達され、前記緑色ガンマの適用された前記データ信号は緑色画素に伝達され、前記青色ガンマの適用されたデータ信号は、青色画素に伝達されるステップとを含む有機電界発光表示装置の駆動方法を提供するものである。
【図面の簡単な説明】
【００１２】
【図１Ａ】本発明による有機電界発光表示装置の構造を示す構造図である。
【図１Ｂ】本発明による有機電界発光表示装置の構造を示す構造図である。
【図２】図１に示す有機電界発光表示装置の画素部の画素の配列を示す構造図である。
【図３】本発明による有機電界発光表示装置に採用されたガンマ補正部を示す回路図である。
【図４】本発明による有機電界発光表示装置に採用されたガンマ変換部の第１実施形態を示す回路図である。
【図５】本発明による有機電界発光表示装置に採用されたガンマ変換部の第２実施形態を示す回路図である。
【図６】本発明による有機電界発光表示装置に採用されたガンマ変換部の第３実施形態を示す回路図である。
【発明を実施するための形態】
【００１３】
以下、本発明の実施形態を添付図面を参照して説明する。図１Ａは、本発明による有機電界発光表示装置の第１実施形態の構造を示す構造図であり、図１Ｂは、本発明による有機電界発光表示装置の第２実施形態の構造を示す構造図である。図１Ａ及び図１Ｂに示すように、有機電界発光表示装置は、画素部１００と、データ駆動部２００と、走査駆動部３００と、ガンマ補正部４００と、ガンマ変換部５００とを備える。また、データ駆動部２００及びガンマ変換部５００は、画素部１００の上部または画素部１００の下部に形成される。
【００１４】
画素部１００には、複数の画素１０１が配列され、各画素１０１は、電流の流れに対応して光を発光する有機発光ダイオード（図示せず）を備える。また、画素部１００は、行方向に形成されて走査信号を伝達するｎ本の走査線Ｓ１、Ｓ２、…Ｓｎ−１、Ｓｎと、列方向に形成されてデータ信号を伝達するｍ本のデータ線Ｄ１、Ｄ２、…Ｄｍ−１、Ｄｍとが配列される。
【００１５】
また、画素部１００は、第１電源及び第２電源を受けて駆動する。このため、画素部１００は、走査信号、データ信号、発光制御信号、第１電源及び第２電源により有機発光ダイオードに電流が流れることによって発光して映像を表示する。また、複数の画素１０１は、赤色、緑色及び青色のサブピクセルを備える。
【００１６】
データ駆動部２００は、データ信号を生成する手段であり、赤色及び青色、緑色の成分を有する映像信号Ｒ、Ｇ、Ｂｄａｔａを用いてデータ信号を生成する。また、データ駆動部２００は、データ信号を出力する出力チャネルが画素部１００のデータ線Ｄ１、Ｄ２、…Ｄｍ−１、Ｄｍに接続され、生成されたデータ信号を画素部１００に印加する。データ駆動部からデータ信号を出力する出力チャネルとして、第１、４、７、１０…出力チャネルには赤色ガンマが適用され、第２、５、８、１１…出力チャネルには緑色ガンマが適用され、第３、６、９、１２…出力チャネルには青色ガンマが適用される。
【００１７】
走査駆動部３００は、走査信号を生成する手段であり、走査線Ｓ１、Ｓ２、…Ｓｎ−１、Ｓｎに接続され、走査信号を画素部１００の特定の行に伝達する。走査信号が伝達された画素１０１にはデータ駆動部２００から出力されたデータ信号が伝達され、データ信号に対応する電圧が画素に伝達される。
【００１８】
ガンマ補正部４００は、階調対データ信号の電圧の比を調整する。また、赤色、緑色または青色の発光層の差による発光効率などにより、赤色、緑色及び青色は、それぞれ異なるガンマを用いる。例えば、０から６３階調を表現する場合、赤色、緑色または青色の効率などにより、３０階調に対応するデータ信号の電圧Ｖｄａｔａは、赤色が３．０Ｖ、緑色が３．１Ｖ、青色が３．２Ｖになるようにする。
【００１９】
ガンマ変換部５００は、赤色画素に伝達される赤色データ信号に赤色ガンマが適用され、緑色画素に伝達される緑色データ信号に緑色ガンマが適用されるようにし、青色画素に伝達される青色データ信号に青色ガンマが適用されるようにする。すなわち、データ駆動部２００からデータ信号を出力する出力チャネルに関係なく、画素部の赤色画素には赤色ガンマの適用されたデータ信号が伝達され、緑色画素には緑色ガンマの適用されたデータ信号が伝達され、青色画素には青色ガンマの適用されたデータ信号が伝達されるようにする。ガンマ変換部５００は、ガンマ変換信号ｇｓにより動作する。
【００２０】
さらに説明すると、ガンマ変換部５００は、データ駆動部２００及びガンマ変換部５００の位置変化に応じて、赤色画素に赤色ガンマの適用された赤色データ信号が伝達され、緑色画素に緑色ガンマの適用された緑色データ信号が伝達され、青色画素に青色ガンマの適用された青色データ信号が伝達されるようにする。
【００２１】
図２は、図１に示す有機電界発光表示装置の画素部の画素の配列を示す構造図である。図２に示すように、画素部１００は、１つの画素１０１が３つのサブピクセルからなり、３つのサブピクセルは、赤色、緑色及び青色のサブピクセル１０１Ｒ、１０１Ｇ、１０１Ｂからなる。また、各々のサブピクセル１０１Ｒ、１０１Ｇ、１０１Ｂは、データ線に接続されてデータ信号を受信する。また、各々の画素１０１は、左側から右側に赤色、緑色及び青色のサブピクセル１０１Ｒ、１０１Ｇ、１０１Ｂが位置する。
【００２２】
データ駆動部２００が画素部１００に接続される方式には、データ駆動部２００の出力チャネルが第１、２、３…の順に赤色、緑色及び青色のデータ信号を出力する第１の場合と、データ駆動部２００の出力チャネルが第１、２、３…の順に青色、緑色、赤色のデータ信号を出力する第２の場合とがある。データ駆動部２００が画素部１００の上部に位置することと下部に位置することにより、前記２つの場合のうちの１つが選択される。
【００２３】
第１の場合は、第１出力チャネルには赤色ガンマが適用され、伝達されるデータ信号は赤色データ信号であり、赤色を表現する画素が接続される。第２出力チャネルには緑色ガンマが適用され、伝達されるデータ信号は緑色データ信号であり、緑色を表現する画素が接続される。第３出力チャネルには青色ガンマが適用され、伝達されるデータ信号は青色データ信号であり、青色を表現する画素が接続される。
【００２４】
第２の場合は、第１出力チャネルには赤色ガンマが適用され、伝達されるデータ信号は青色データ信号であり、青色を表現する画素が接続される。第２出力チャネルには緑色ガンマが適用され、伝達されるデータ信号は緑色データ信号であり、緑色を表現する画素が接続される。第３出力チャネルには青色ガンマが適用され、伝達されるデータ信号は赤色データ信号であり、赤色を表現する画素が接続される。そのため、第１の場合は、赤色、緑色及び青色を表現する画素に赤色、緑色及び青色のガンマが適用され、各色に適した輝度が表現される。これに対し、第２の場合は、赤色、緑色及び青色を表現する画素に青色、緑色、赤色のガンマが適用され、各色に適した輝度が表現されなくなる。
【００２５】
前記問題を解決するために、ガンマ変換部５００をデータ駆動部２００と画素部１００との間に接続させ、赤色を表現する画素には赤色ガンマの適用されたデータ信号が伝達され、緑色を表現する画素には緑色ガンマの適用されたデータ信号が伝達されるようにし、青色を表現する画素には青色ガンマの適用されたデータ信号が伝達されるようにする。
【００２６】
図３は、本発明による有機電界発光表示装置に採用されたガンマ補正部を示す回路図である。図３に示すように、ガンマ補正部４００は、赤色、緑色及び青色のデータ信号に適用されるように３つから構成される。
【００２７】
各ガンマ補正部４００は、レジスタ部６０と、ラダー抵抗６１と、振幅調整レジスタ６２と、カーブ調整レジスタ６３と、第１選択器ないし第６選択器６４〜６９と、階調電圧増幅器７０とを備えて動作する。
【００２８】
レジスタ部６０は、ガンマ補正部４００が赤色ガンマ補正部であれば、赤色に適したレジスタ設置値が格納され、ガンマ補正部４００が緑色ガンマ補正部であれば、緑色に適したレジスタ設置値が格納され、ガンマ補正部４００が青色ガンマ補正部であれば、青色に適したレジスタ設置値が格納される。すなわち、レジスタ部６０は、ガンマ補正部４００が赤色画素に接続されてガンマ補正を行う場合は、赤色画素に適したレジスタ設置値を格納し、緑色画素に接続されてガンマ補正を行う場合は、緑色画素に適したレジスタ設置値を格納する。また、青色画素に接続されてガンマ補正を行う場合は、青色画素に適したレジスタ設置値を格納する。また、レジスタ部６０に格納されているレジスタ値のうち、上位１０ビットは振幅調整レジスタ６２に入力され、下位１６ビットはカーブ調整レジスタ６３にそれぞれ入力され、レジスタ設置値として選択される。
【００２９】
ラダー抵抗６１は、最上位レベル電圧ＶＨＩと最下位レベル電圧ＶＬＯとの間に備えられた複数の可変抵抗が直列に接続された構成からなり、ラダー抵抗６１により複数の階調電圧を生成する。
【００３０】
振幅調整レジスタ６２は、第１選択器６４に３ビットのレジスタ設置値を出力し、第２選択器６５に７ビットのレジスタ設置値を出力する。このとき、設定ビット数を増加させて選択可能な階調数を増やすことができ、レジスタ設置値を変更して階調電圧を異なるように選択することもできる。
【００３１】
カーブ調整レジスタ６３は、第３選択器ないし第６選択器６６〜６９の各々に４ビットのレジスタ設置値を出力する。このとき、レジスタ設置値は変更可能であり、レジスタ設置値に応じて選択可能な階調電圧を調整することができる。
【００３２】
振幅調整レジスタ６２にはレジスタ信号の上位１０ビットが入力され、カーブ調整レジスタ６３にはレジスタ信号の下位１６ビットが入力される。
【００３３】
第１選択器６４は、ラダー抵抗６１により分配された複数の階調電圧のうち、振幅調整レジスタ６２で設定された３ビットのレジスタ設置値に対応する階調電圧を選択してこれを最上位階調電圧として出力する。
【００３４】
第２選択器６５は、ラダー抵抗６１により分配された複数の階調電圧のうち、振幅調整レジスタ６２で設定された７ビットのレジスタ設置値に対応する階調電圧を選択して最下位階調電圧として出力する。
【００３５】
第３選択器６６は、第１選択器６４から出力された階調電圧と第２選択器６５から出力された階調電圧との間の電圧を、複数の抵抗列により複数の階調電圧に分配し、４ビットのレジスタ設置値に対応する階調電圧を選択して出力する。
【００３６】
第４選択器６７は、第１選択器６４から出力された階調電圧と第３選択器６６から出力された階調電圧との間の電圧を、複数の抵抗列により分配し、４ビットのレジスタ設置値に対応する階調電圧を選択して出力する。
【００３７】
第５選択器６８は、第１選択器６４と第４選択器６７との間の階調電圧のうち、４ビットのレジスタ設置値に対応する階調電圧を選択して出力する。
【００３８】
第６選択器６９は、第１選択器６４と第５選択器６８との間の複数の階調電圧のうち、４ビットのレジスタ設置値に対応する階調電圧を選択して出力する。前述した動作により、カーブ調整レジスタ６３のレジスタ設置値に応じて中間階調部のカーブ調整を可能にし、発光素子各々の特性に合わせてガンマ特性の調整を容易にすることができる。また、ガンマカーブ特性を下に膨らませるためには、小さい階調を表示するほど、各階調間の電位差が大きくなるように設定し、これに対し、ガンマカーブ特性を上に膨らませるためには、小さい階調を表示するほど、各階調間の電位差が小さくなるように各ラダー抵抗６１の抵抗値を設定すればよい。
【００３９】
階調電圧増幅器７０は、画素部１００に表示する複数の階調各々に対応する複数の階調電圧を出力する。図２では、６４階調分に対応する階調電圧の出力を示している。
【００４０】
図４は、本発明による有機電界発光表示装置に採用されたガンマ変換部の第１実施形態を示す回路図である。図４に示すように、ガンマ変換部５００は、第１トランジスタＭ１と、第２トランジスタＭ２と、第３トランジスタＭ３と、第４トランジスタＭ４とを備える。また、第１トランジスタＭ１及び第４トランジスタＭ４はＰＭＯＳトランジスタで実現され、第２トランジスタＭ２及び第３トランジスタＭ３はＮＭＯＳトランジスタで実現されている。しかし、第１トランジスタＭ１及び第４トランジスタＭ４がＮＭＯＳトランジスタで実現される場合、第２トランジスタＭ２及び第３トランジスタＭ３はＰＭＯＳトランジスタで実現されうる。
【００４１】
第１トランジスタＭ１のソースはデータ駆動部２００の第１チャネルＣＨ１に接続され、ドレインは第１データ線Ｄ１に接続される。また、ゲートはガンマ変換信号線ＧＳに接続される。
【００４２】
第２トランジスタＭ２のソースはデータ駆動部２００の第１チャネルＣＨ１に接続され、ドレインは第３データ線Ｄ３に接続される。また、ゲートはガンマ変換信号線ＧＳに接続される。
【００４３】
第３トランジスタＭ３のソースはデータ駆動部２００の第３チャネルＣＨ３に接続され、ドレインは第１データ線Ｄ１に接続される。また、ゲートはガンマ変換信号線ＧＳに接続される。
【００４４】
第４トランジスタＭ４のソースはデータ駆動部２００の第３チャネルＣＨ３に接続され、ドレインは第３データ線Ｄ３に接続される。また、ゲートはガンマ変換信号線ＧＳに接続される。また、データ駆動部２００の第２チャネルＣＨ２は第２データ線Ｄ２に直接接続される。また、ガンマ変換信号線ＧＳを介してロー状態の信号が伝達されると、第１トランジスタＭ１及び第４トランジスタＭ４がオン状態になり、第２トランジスタＭ２及び第３トランジスタＭ３はオフ状態になる。すなわち、データ駆動部２００の第１チャネルＣＨ１は第１データ線Ｄ１に接続され、第２チャネルＣＨ２は第２データ線Ｄ２に接続され、第３チャネルＣＨ３は第３データ線Ｄ３に接続される。
【００４５】
また、ガンマ変換信号線ＧＳを介してガンマ変換信号がハイ状態の信号として伝達されると、第１トランジスタＭ１及び第４トランジスタＭ４がオフ状態になり、第２トランジスタＭ２及び第３トランジスタＭ３はオン状態になる。すなわち、データ駆動部２００の第１チャネルＣＨ１は第３データ線Ｄ３に接続され、第２チャネルＣＨ２は第２データ線Ｄ２に接続され、第３チャネルＣＨ３は第１データ線Ｄ１に接続される。したがって、ガンマ変換信号線ＧＳを介して伝達されるガンマ変換信号がロー状態であれば、第１データ線Ｄ１に赤色データが伝達され、第２データ線Ｄ２に緑色データが伝達され、第３データ線Ｄ３に青色データが伝達される。また、ガンマ変換信号線ＧＳを介して伝達されるガンマ変換信号がハイ状態であれば、第１データ線Ｄ１に青色データが伝達され、第２データ線Ｄ２に緑色データが伝達され、第３データ線Ｄ３に赤色データが伝達される。
【００４６】
前述した動作により、画素部１００の赤色サブピクセル１０１Ｒには赤色ガンマの適用されたデータ信号が伝達され、緑色サブピクセル１０１Ｇには緑色ガンマの適用されたデータ信号が伝達され、青色サブピクセル１０１Ｂには青色ガンマの適用されたデータ信号が伝達される。
【００４７】
図５は、本発明による有機電界発光表示装置に採用されたガンマ変換部の第２実施形態を示す回路図である。図５に示すように、ガンマ変換部５００は、第１トランジスタＭ１と、第２トランジスタＭ２と、第３トランジスタＭ３と、第４トランジスタＭ４と、第５トランジスタＭ５とを備える。また、第１トランジスタＭ１、第３トランジスタＭ３及び第５トランジスタＭ５はＰＭＯＳトランジスタで、第２トランジスタＭ２及び第４トランジスタＭ４はＮＭＯＳトランジスタで実現される。また、第１トランジスタＭ１、第３トランジスタＭ３及び第５トランジスタＭ５がＮＭＯＳトランジスタで実現されると、第２トランジスタＭ２及び第４トランジスタＭ４はＰＭＯＳトランジスタで実現されることも可能である。
【００４８】
第１トランジスタＭ１のソースはデータ駆動部２００の第１チャネルＣＨ１に接続され、ドレインは第１ノードＮ１に接続される。また、ゲートは第１ガンマ変換信号線ＧＳ１に接続される。
【００４９】
第２トランジスタＭ２のソースはデータ駆動部２００の第３チャネルＣＨ３に接続され、ドレインは第２ノードＮ２に接続される。また、ゲートは第１ガンマ変換信号線ＧＳ１に接続される。
【００５０】
第３トランジスタＭ３のソースは第１ノードＮ１に接続され、ドレインは第１データ線Ｄ１に接続される。また、ゲートは第２ガンマ変換信号線ＧＳ２に接続される。
【００５１】
第４トランジスタＭ４のソースは第２ノードＮ２に接続され、ドレインは第３データ線Ｄ３に接続される。また、ゲートは第２ガンマ変換信号線ＧＳ２に接続される。
【００５２】
第５トランジスタＭ５のソースは第１ノードＮ１に接続され、ドレインは第２ノードＮ２に接続される。また、ゲートは第３ガンマ変換信号線ＧＳ３に接続される。また、データ駆動部の第２チャネルＣＨ２は第２データ線Ｄ２に直接接続される。
【００５３】
第１チャネルＣＨ１、第２チャネルＣＨ２及び第３チャネルＣＨ３から赤色、緑色及び青色のデータが出力され、第１データ線Ｄ１、第２データ線Ｄ２及び第３データ線Ｄ３に赤色、緑色及び青色の画素が順に接続されている場合は、次のように動作する。
【００５４】
まず、第１ガンマ変換信号ＧＳ１及び第２ガンマ変換信号ＧＳ２がロー状態で、かつ、第３ガンマ変換信号ＧＳ３がハイ状態であれば、第１トランジスタＭ１及び第３トランジスタＭ３がオン状態になり、第２トランジスタＭ２、第４トランジスタＭ４及び第５トランジスタＭ５はオフ状態になる。この状態では、第１チャネルＣＨ１から出力される赤色データが第１データ線Ｄ１に伝達される。このため、赤色画素に赤色データが伝達される。
【００５５】
その後、第１ガンマ変換信号ＧＳ１、第２ガンマ変換信号ＧＳ２及び第３ガンマ変換信号ＧＳ３がハイ状態であれば、第１トランジスタＭ１、第３トランジスタＭ３及び第５トランジスタＭ５はオフ状態になり、第２トランジスタＭ２及び第４トランジスタＭ４はオン状態になる。この状態では、第３チャネルＣＨ３から出力される青色データが第３データ線Ｄ３に伝達される。このため、青色画素に青色データが伝達される。このとき、第２チャネルＣＨ２は第２データ線Ｄ２に直接接続され、緑色データは緑色画素に伝達される。
【００５６】
第１チャネルＣＨ１、第２チャネルＣＨ２及び第３チャネルＣＨ３から青色、緑色及び赤色のデータが出力され、第１データ線Ｄ１、第２データ線Ｄ２及び第３データ線Ｄ３に赤色、緑色及び青色の画素が順に接続されている場合は、次のように動作する。
【００５７】
まず、第１ガンマ変換信号ＧＳ１及び第３ガンマ変換信号ＧＳ３がロー状態で、かつ、第２ガンマ変換信号ＧＳ２がハイ状態であれば、第１トランジスタＭ１、第４トランジスタＭ４及び第５トランジスタＭ５がオン状態になり、第２トランジスタＭ２及び第３トランジスタＭ３はオフ状態になる。この状態では、第１チャネルＣＨ１から出力される赤色データは、第１トランジスタＭ１、第５トランジスタＭ５及び第４トランジスタＭ４を経由して第３データ線Ｄ３に伝達される。このため、赤色画素に赤色データが伝達される。
【００５８】
その後、第１ガンマ変換信号ＧＳ１がハイ状態で、かつ、第２ガンマ変換信号ＧＳ２及び第３ガンマ変換信号ＧＳ３がロー状態であれば、第２トランジスタＭ２、第３トランジスタＭ３及び第５トランジスタＭ５はオン状態になり、第１トランジスタＭ１及び第４トランジスタＭ４はオフ状態になる。この状態では、第３チャネルＣＨ３から出力される青色データは、第２トランジスタＭ２、第５トランジスタＭ５及び第３トランジスタＭ３を経由して第１データ線Ｄ１に伝達される。このため、青色画素に青色データが伝達される。
このとき、第２チャネルＣＨ２は第２データ線Ｄ２に直接接続され、緑色データは緑色画素に伝達される。
【００５９】
前述した動作により、画素部１００の赤色サブピクセル１０１Ｒには赤色ガンマの適用されたデータ信号が伝達され、緑色サブピクセル１０１Ｇには緑色ガンマの適用されたデータ信号が伝達され、青色サブピクセル１０１Ｂには青色ガンマの適用されたデータ信号が伝達される。
【００６０】
図６は、本発明による有機電界発光表示装置に採用されたガンマ変換部の第３実施形態を示す回路図である。図６に示すように、ガンマ変換部５００は、第１トランジスタＭ１と、第２トランジスタＭ２と、第３トランジスタＭ３と、第４トランジスタＭ４とを備える。また、第１トランジスタないし第４トランジスタＭ１〜Ｍ４はＰＭＯＳトランジスタで実現されている。しかし、第１トランジスタないし第４トランジスタＭ１〜Ｍ４はＮＭＯＳトランジスタで実現されうる。
【００６１】
第１トランジスタＭ１のソースはデータ駆動部２００の第１チャネルＣＨ１に接続され、ドレインは第１データ線Ｄ１に接続される。また、ゲートは第２ガンマ変換信号線ＧＳ２に接続される。
【００６２】
第２トランジスタＭ２のソースはデータ駆動部２００の第１チャネルに接続され、ドレインは第３データ線Ｄ３に接続される。また、ゲートは第１ガンマ変換信号線ＧＳ１に接続される。
【００６３】
第３トランジスタＭ３のソースはデータ駆動部２００の第３チャネルＣＨ３に接続され、ドレインは第１データ線Ｄ１に接続される。また、ゲートは第１ガンマ変換信号線ＧＳ１に接続される。
【００６４】
第４トランジスタＭ４のソースはデータ駆動部２００の第３チャネルＣＨ３に接続され、ドレインは第３データ線Ｄ３に接続される。また、ゲートは第２ガンマ変換信号線ＧＳ２に接続される。また、データ駆動部２００の第２チャネルＣＨ２は第２データ線Ｄ２に直接接続される。また、第１ガンマ変換信号線ＧＳ１を介してロー状態の第１ガンマ変換信号が伝達されると、第１トランジスタＭ１及び第４トランジスタＭ４がオン状態になり、第２ガンマ変換信号線ＧＳ２を介してハイ状態の第２ガンマ変換信号が伝達されると、第２トランジスタＭ２及び第３トランジスタＭ３はオフ状態になる。すなわち、データ駆動部２００の第１チャネルＣＨ１は第１データ線Ｄ１に接続され、第２チャネルＣＨ２は第２データ線Ｄ２に接続され、第３チャネルＣＨ３は第３データ線Ｄ３に接続される。また、第１ガンマ変換信号線ＧＳ１を介して第１ガンマ変換信号がハイ状態の信号として伝達されると、第１トランジスタＭ１及び第４トランジスタＭ４がオフ状態になり、第２ガンマ変換信号線ＧＳ２を介して第２ガンマ変換信号がロー状態の信号として伝達されると、第２トランジスタＭ２及び第３トランジスタＭ３はオン状態になる。すなわち、データ駆動部２００の第１チャネルＣＨ１は第３データ線Ｄ３に接続され、第２チャネルＣＨ２は第２データ線Ｄ２に接続され、第３チャネルＣＨ３は第１データ線Ｄ１に接続される。
【００６５】
したがって、第１ガンマ変換信号線ＧＳ１を介して伝達される第１ガンマ変換信号がロー状態で、かつ、第２ガンマ変換信号線ＧＳ２を介して伝達される第２ガンマ変換信号がハイ状態であれば、第１データ線Ｄ１に赤色データが伝達され、第２データ線Ｄ２に緑色データが伝達され、第３データ線Ｄ３に青色データが伝達される。また、第１ガンマ変換信号線ＧＳ１を介して伝達される第１ガンマ変換信号がハイ状態で、かつ、第２ガンマ変換信号線ＧＳ２を介して伝達される第２ガンマ変換信号がロー状態であれば、第１データ線Ｄ１に青色データが伝達され、第２データ線Ｄ２に緑色データが伝達され、第３データ線Ｄ３に赤色データが伝達される。
【００６６】
前述した動作により、画素部１００の赤色サブピクセル１０１Ｒには赤色ガンマの適用されたデータ信号が伝達され、緑色サブピクセル１０１Ｇには緑色ガンマの適用されたデータ信号が伝達され、青色サブピクセル１０１Ｂには青色ガンマの適用されたデータ信号が伝達される。
【００６７】
以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【００６８】
１００・・・画素部
１０１・・・画素
２００・・・データ駆動部
３００・・・走査駆動部
４００・・・ガンマ補正部
５００・・・ガンマ変換部
ＣＨ１〜ＣＨ３・・・第１チャネル〜第３チャネル
Ｄ１〜Ｄ３・・・第１データ線〜第３データ線
Ｍ１〜Ｍ５・・・第１トランジスタ〜第５トランジスタ
Ｎ１、Ｎ２・・・第１ノード、第２ノード
【図１Ａ】
2010020310.tif 000003
【図１Ｂ】
2010020310.tif 000004
【図２】
2010020310.tif 000005
【図３】
2010020310.tif 000006
【図４】
2010020310.tif 000007
【図５】
2010020310.tif 000008
【図６】
2010020310.tif 000009